(57)【特許請求の範囲】
【請求項１】
加熱装置を内蔵する本体と、前記本体の天面に配され被加熱調理物を載置する天板と、前記天板を下方より受けて保持するアンダーフレームと、前記アンダーフレームに略鉛直下方へ伸長させて形成した腕部と、前記本体の外郭を構成する側板と、前記側板の上部端面を前記本体内側に向かって曲げて形成したフランジ面と、を備え、
前記本体内部に固定された構造物に天板支持具を形成し、前記側板と前記腕部に前記天板支持具を介在させて締結して前記本体に前記天板を取り付けるとともに、
前記側板のフランジ面には、内側端面を略鉛直上方に折り曲げて止水壁を形成し、前記止水壁は前記天板の端面より内側に位置するようにした加熱調理器。
【請求項２】
前記天板と前記アンダーフレームとを共に端面を包覆して挟持する略コの字型のサイドフレームをさらに備え、前記止水壁が前記サイドフレームの下面端部より前記本体の内側になるように配置した請求項１に記載の加熱調理器。
【請求項３】
前記アンダーフレームには端部近傍に下方へ凸の樋をさらに備えた請求項１または２に記載の加熱調理器。
【請求項４】
前記加熱装置を駆動させる制御基板と、前記制御基板を保持あるいは包覆して前記本体内部に固定される基板ケースと、をさらに備え、前記構造物である前記基板ケースに前記天板支持具を取り付けた請求項１〜３のいずれか１項に記載の加熱調理器。
【請求項５】
前記本体内部に略水平に固定され前記加熱装置を下方から支持する仕切り板をさらに備え、前記構造物である前記仕切り板を略鉛直上方に折り曲げて前記天板支持具を形成した請求項１〜３のいずれか１項に記載の加熱調理器。
【請求項６】
前記天板支持具は絞りあるいは曲げ加工によって形成した第２の当接面を前記側板と当接させ、前記腕部と前記側板に挟み込んで締結して前記本体と前記天板を取り付けた請求項１〜５のいずれか１項に記載の加熱調理器。
【請求項７】
前記天板支持具は前記腕部および前記側板より強度を有する材料で形成した請求項１〜６のいずれか１項に記載の加熱調理器。
【請求項８】
前記天板支持具には上部に突っ張り面をさらに備え、前記突っ張り面を前記アンダーフレームと当接させて前記天板を前記本体に取り付けた請求項１〜７のいずれか１項に記載の加熱調理器。
【発明の詳細な説明】
【技術分野】
【０００１】
本発明は一般家庭の台所や業務用の厨房などで使用される、据え置き型あるいは組込型の誘導加熱調理器などの加熱調理器に関するものである。
【背景技術】
【０００２】
従来、この種の加熱調理器における調理器具載置用の天板の取付け構成は、特に、据え置き型のものについては製品の内部スペースなどの制約もあって、天板の外周を覆うトップフレームに直接取付けて本体の天面に配設されるものが一般的であり、天板とトップフレームは接着剤により接着されている。しかし、前記従来の構成ではトップフレームと天板との接着が不十分で隙間が発生した場合や、たとえ初期は水密性が得られていても、接着強度が不十分な場合に天板上に食材を満たした調理器具の重さが繰り返し加わることによって、接着部がその力に耐えきれなくなって隙間が発生し、その隙間から天板上にこぼれた水などが本体内部に浸入して内部の制御回路などに到達して故障を引き起こす恐れがあった。そのため、天板を下方から保持するアンダーフレームを設け、アンダーフレームとトップフレームによって天板を挟み込み保持することで、接着強度が不十分な場合であっても、天板とトップフレームの間に隙間が生じないようにしている例がある（例えば、特許文献１参照）。
【０００３】
また、本体外郭の上部端面をトップフレームが覆うように天板と本体を取り付けており、外観品位を向上させるとともに、本体へ水を入れない構成としている。
【０００４】
図９は、特許文献１に記載された従来の誘導加熱調理器を示すものである。図９に示すように、天板４１はトップフレーム４２とアンダーフレーム４３に挟み込まれ、接着剤４４によって水密性が確保されている。
【０００５】
天板４１は本体の上部から略鉛直下方に下ろして、トップフレーム４２が側板４５の上部端面を覆うように取り付けられ、アンダーフレーム４３に備えた下方へ伸長した腕部４６と、側板４５に備えた貫通穴とを締結して、本体と天板を取り付けて固定している。
【０００６】
これによって、天板上で調理時・清掃時などに水を溢した場合にトップフレームを乗り越えた水は、側板の外を伝って下方へ流れるため、本体へ水が入ることを防止している。
【０００７】
また、これによって、外観部であるトップフレームに締結部を設けず、デザイン性に優れた加熱調理器としている。
【先行技術文献】
【特許文献】
【０００８】
【特許文献１】特開２００８−１７７０１０号公報
【発明の概要】
【発明が解決しようとする課題】
【０００９】
しかしながら、前記従来の構成では、図９に示すように、トップフレーム４２と天板４１との隙間が生じないようにしているとはいえ、接着剤４４の不良や当接面の変形といった不具合によっては隙間が生じる恐れがあり、その場合は図９の矢印で示すように本体の内側へ水が浸入することがあるため、本体に内蔵された加熱装置や制御装置といった内部部品に対しての防水対策の必要となるという課題があった。
【００１０】
また、天板の隙間から浸入した水を本体の外へ水を排出するために、水受けとして側板の上部端面に内側へフランジを伸長させることが有効であるが、フランジの幅を広くすることによって腕部と側板との距離が離れていくため、天板取付時にネジ締結する際、腕部や側板が変形してしまい取付が困難になることや、取付部の強度が低下するという課題があった。
【００１１】
本発明は、前記従来の課題を解決するもので、本体内への水の浸入による内部部品の水濡れによる故障やトラッキングを防止して信頼性を高めるとともに、天板取付時の作業性および取付部の強度に優れた加熱調理器を提供することを目的とする。
【課題を解決するための手段】
【００１２】
前記従来の課題を解決するために、本発明の加熱調理器は、加熱装置を内蔵する本体と、前記本体の天面に配され被加熱調理物を戴置する天板と、前記天板を下方より受けて保持するアンダーフレームと、前記アンダーフレームに略鉛直下方へ伸長させて形成した腕部と、前記本体の外郭を構成する側板と、前記側板の上部端面を前記本体内側に向かって曲げて形成したフランジ面と、を備え、前記本体内部に固定された構造物に天板支持具を形成し、前記側板と前記腕部に前記天板支持具を介在させて締結して前記本体に前記天板を取り付けるとともに、前記側板のフランジ面には、内側端面を略鉛直上方に折り曲げて止水壁を形成し、前記止水壁は前記天板の端面より内側に位置するようにしたものである。
【００１３】
これによって、防水性を増すために備えたフランジ面を内側へ伸ばした場合、天板を取り付けるための腕部はフランジの先端より内側になるため、側板と腕部の間に空間が生じてしまうが、天板支持具を形成して締結時に介在させることで、フランジの幅に関わらず、腕部や側板を変形させること無く天板の取付を行うことができる。また、天板上でこぼした水が天板の端面から流れたとしても、止水壁が天板の端面より内側になるため、水が止水壁より内側に入らず、本体内への水の浸入による内部部品の水濡れによる故障やトラッキングを防止し、信頼性の高い加熱調理器とすることができる。
【発明の効果】
【００１４】
天板取付部の強度を有しながら、本体外郭上端のフランジを内側に伸長することが可能となるので、防水性および強度に優れた加熱調理器を提供することができる。
【図面の簡単な説明】
【００１５】
【図１】本発明の実施の形態１における加熱調理器の分解斜視図
【図２】本発明の実施の形態１における加熱調理器の天板取付時の要部断面図
【図３】本発明の実施の形態１における加熱調理器の天板取付部近傍の断面図
【図４】本発明の実施の形態１における天板支持具の斜視図
【図５】本発明の実施の形態１における仕切り板の斜視図
【図６】本発明の実施の形態１における突っ張り面を備えた天板支持具の斜視図
【図７】本発明の実施の形態１における加熱調理器の突っ張り面を備えた天板支持具近傍の断面図
【図８】本発明の実施の形態２における加熱調理器の天板取付部近傍の断面図
【図９】従来の加熱調理器の天板取付部近傍の断面図
【発明を実施するための形態】
【００１６】
第１の発明は加熱装置を内蔵する本体と、前記本体の天面に配され被加熱調理物を戴置する天板と、前記天板を下方より受けて保持するアンダーフレームと、前記アンダーフレームに略鉛直下方へ伸長させて形成した腕部と、前記本体の外郭を構成する側板と、前記側板の上部端面を前記本体内側に向かって曲げて形成したフランジ面と、を備え、前記本体内部に固定された構造物に天板支持具を形成し、前記側板と前記腕部に前記天板支持具を介在させて締結して本体に天板を取り付けるとともに、前記側板のフランジ面には、内側端面を略鉛直上方に折り曲げて止水壁を形成し、前記止水壁は前記天板の端面より内側に位置するようにしたとすることにより、フランジ面の幅を広げるとともに、腕部を本体内側へ移動させた場合、側板からネジを締め付けた時に腕部が外側へ引き込まれて変形するのを天板支持具が支えて抑えることとなり、フランジ面の幅に関わらず、天板を所定の位置に取り付けることができ、防水性および強度に優れた加熱調理器を提供することができる。また、天板上でこぼした水が天板の端面から流れたとしても、止水壁が天板の端面より内側になるため、水が止水壁より内側に入らず、本体内への水の浸入による内部部品の水濡れによる故障やトラッキングを防止し、信頼性の高い加熱調理器とすることができる。
【００１７】
第２の発明は、特に、第１の発明において、前記天板と前記アンダーフレームとを共に端面を包覆して挟持する略コの字型のサイドフレームをさらに備え、前記止水壁が前記サイドフレームの下面端部より前記本体の内側になるように配置したことにより、サイドフレームによって機械的に保持して天板の端面を保護しながら、もしサイドフレーム接着強度が不十分な場合に天板上でこぼした水がサイドフレームの内側を伝っても、止水壁がサイドフレームの下面端部より内側になるため、水が止水壁より内側に入らず、本体内への水の浸入による内部部品の水濡れによる故障やトラッキングを防止し、信頼性の高い加熱調理器とすることができる。
【００１８】
第３の発明は、特に、第１または第２の発明において、前記アンダーフレームには端部近傍に下方へ凸の樋をさらに備えたことにより、天板上でこぼした水が天板の端面から流れたとしても、アンダーフレームに設けた樋で水を受けて誘導し、本体内の下方に落下させても実質支障のない場所に落下させ、最終は本体外に排出することができる。
【００１９】
第４の発明は、特に、第１〜３のいずれか１つの発明において、前記加熱装置を駆動させる制御基板と、前記制御基板を保持あるいは包覆して前記本体内部に固定される基板ケ
ースと、をさらに備え、前記構造物である前記基板ケースに前記天板支持具を取り付けることにより、本体に基板ケースを組み付けた後に、天板支持具をフランジ面の内側にもぐりこんで取り付けることができ、フランジ面の幅によって基板ケースの組み付けが困難になることが無く、組立作業性・メンテナンス性に優れた加熱調理器とすることができる。
【００２０】
第５の発明は、特に、第１〜３のいずれか１つの発明において、前記本体内部に略水平に固定され前記加熱装置を下方から支持する仕切り板をさらに備え、前記構造物である前記仕切り板を略鉛直上方に折り曲げて前記天板支持部を形成することにより、天板支持具を仕切り板と一体で形成でき、組立作業性・メンテナンス性に優れた加熱調理器とすることができる。
【００２１】
第６の発明は、特に、第１〜５のいずれか１つの発明において、前記天板支持具は絞りあるいは曲げ加工によって形成した第２の当接面を前記側板と当接させ、前記腕部と前記側板に挟み込んで締結して前記本体と前記天板を取り付けたことにより、側板からネジを締め付けた時に腕部が外側へ引き込まれて変形するのを天板支持具が支えて抑えるとともに、支持具の倒れ・変形および側板の変形を抑えることとなり、フランジ面の幅に関わらず、腕部や側板を変形させること無く天板を所定の位置に取り付けることができ、防水性および強度、外観品位に優れた加熱調理器を提供することができる。
【００２２】
第７の発明は、特に、第１〜６のいずれか１つの発明において、前記天板支持具は前記腕部および前記側板より強度を有する材料で形成することにより、側板からネジを締め付けた時に腕部が外側へ引き込まれて変形するのを天板支持具が支えて抑える場合、支持具の倒れ・変形を防止できるため、安定して天板を所定の位置に取り付けることができる。

【００２３】
第８の発明は、特に、第１〜７のいずれか１つの発明において、前記支持具には上部に突っ張り面をさらに備え、前記突っ張り面を前記アンダーフレームと当接させて前記天板
を前記本体に取り付けたことにより、支持具の上下方向の位置が規制されるため、側板からネジを締め付ける際に、ばらつき等による高さのズレが補正され締結が容易になる。
【００２５】
以下、本発明の実施の形態について、図面を参照しながら説明する。なお、この実施の形態によって本発明が限定されるものではない。
【００２６】
（実施の形態１）
図１〜７は、本発明の第１の実施の形態における加熱調理器として、台所や業務用の厨房などでキャビネット上に設置して使用される据え置き型の誘導加熱調理器を例示したものである。
【００２７】
図２、３に示すように、本体１の天面には、鍋、フライパンなどの調理器具を載置する天板２が配されている。天板２は高耐熱のガラスなどの電磁誘導によって加熱されない材質で構成されている。
【００２８】
天板２は下方からアンダーフレーム３によって支持されており、アンダーフレーム３と天板２は接着剤４ａによって水密性が保たれている。
【００２９】
サイドフレーム５は略コの字型に折り曲げたステンレスなどの金属で構成され、天板２とアンダーフレーム３の端面を覆いつつ、天板２とアンダーフレーム３が離れないように挟み込んで保持している。
【００３０】
サイドフレーム５の内側と天板２の間は接着剤４ｂが充填され水密性が保たれている。
【００３１】
側板６は底板７に取り付けて本体の外郭側面を構成し、側板６の上端部は本体内側方向へ略水平に折り曲げてフランジ面８を設けており、フランジ面の先端部は上方に折り曲げて止水壁９を形成している。
【００３２】
アンダーフレーム３の下面には下方へ伸ばした腕部１０がカシメやスポット溶接によって取り付けられており、腕部にはネジ締結用のバーリング穴１１が設けられている。腕部は、天板２と本体１を取り付けた際に、腕部１０が止水壁９の内側に位置するようにアンダーフレーム３に取り付けられている。
【００３３】
腕部１０と、側板６に設けた穴を通じてネジ２１で締結することで、本体１と天板２を固定している。
【００３４】
本体の内部には天板の下方に加熱手段として２つの誘導加熱コイル１２が配され、その下方には制御基板１３を収納した基板ケース１４および加熱調理庫としてロースターユニット１５が底板に固定されている。
【００３５】
ロースターユニット１５は上部に空隙を設けて仕切り板１６を取り付けている。
【００３６】
仕切り板１６および、基板ケース１４の上面には誘導加熱コイル１２を支持する支持軸１７が形成され、誘導加熱コイル１２を所定の位置に固定している。
【００３７】
誘導加熱コイル１２は制御基板１３によって高周波電力が供給される。
【００３８】
基板ケース１４およびロースターユニット１５は本体１へ組み付ける時に上方から鉛直下方へ容易に落とし込むことが出来ように、側板６側の端部が止水壁９より本体１の内側になるようにしている。
【００３９】
基板ケース１４の上面には略Ｌ字形状の天板支持具１８が取り付けられている。図４に示すように天板支持具１８は板金で構成され、鉛直面の略中央を絞って第２の当接面１９を形成し、その略中央には貫通穴２０を設けている。
【００４０】
仕切り板１６は、図５に示すように側板６側の端部を上方へ折り曲げて略Ｌ字形状とし、鉛直面上の腕部１０に相当する位置に絞り加工によって第２の当接面１９を形成し、その略中央には貫通穴２０を設けている。
【００４１】
本体１に天板２を取り付ける際は、図１、２に示すように上方より天板２を下ろしてサイドフレーム５の下面とフランジ面８を当接させた状態で、側板６に設けた穴よりネジ２１を差込み、天板支持具１８あるいは仕切り板１６に設けた貫通穴２０を通して腕部１０のバーリング穴１１で締結している。
【００４２】
以上のように構成された加熱調理器について、以下その動作、作用を説明する。
【００４３】
まず、天板２の上で被加熱調理物である鍋から水を溢したり、清掃中に水を溢したりした場合を考える。
【００４４】
接着による水密性が確保されていれば、水が天板２の端面まで至ったとしても本体内部への水の浸入はない。
【００４５】
しかし、サイドフレーム５などフレーム部品の変形や、接着の不備、接着剤４ｂの劣化による剥がれなどの不具合が発生した場合、図１に示すように、天板２の端面に至った水はサイドフレームと天板２の隙間を通り、サイドフレーム５の内側へ浸入する。
【００４６】
浸入した水は、図１の矢印で示すように、サイドフレーム５の内側や天板２表面を伝い、サイドフレームの下面に流れる。サイドフレーム５の下面から本体内側へ流れる水は、側板６に設けられた止水壁９で誘導され、フランジ面８とサイドフレーム５の隙間から、本体１の外側へ向けて流れることになる。
【００４７】
以上のように、本体内部へ水が浸入しないようにできるので、誘導加熱コイル１２や制御基板１３などの充電部に水が付着することを阻止し、故障を防止することができる。
【００４８】
一方で、このような防水性を確保するためには、サイドフレーム５端部の内側に止水壁９を配置しなくてはならず、そのためにはフランジ面８の幅をサイドフレーム５の幅より大きくする必要がある。
【００４９】
また、組立作業やメンテナンス時に本体１に天板２を取り付ける際に、天板２を上方より下ろして容易にセットするため、腕部１０は止水壁９より内側になるようにアンダーフレーム３に取り付けられている。
【００５０】
そのため、腕部１０と側板６の間にはフランジ面８の幅による空隙が発生することとなる。ここでもし、空隙がある状態で天板２を取り付けた場合、側板６の穴よりネジ２１を通して腕部１０のバーリング穴１１に締め付けていくと、締めこむ力によって腕部１０が外側へ向けて変形してしまう。
【００５１】
そこで、本実施の形態では、図３に示すように、腕部１０の外側面に当接させるように天板支持具１８を備えている。これにより、天板２取付時に側板６の穴よりネジ２１を通して腕部１０のバーリング穴１１に締め付けていく場合、腕部１０が外へ引き込まれていく力を本体に固定された天板支持具１８が受けて支持することとなり、腕部１０が変形す
ることなくネジ締結ができ、天板２の取付が完了する。
【００５２】
また、本実施の形態では、天板支持具１８は図４のように鉛直面の略中央に絞り加工を施して第２の当接面１９を形成している。これによって、天板２取付時に側板６の穴よりネジ２１を通して腕部１０のバーリング穴１１に締め付けていく場合、腕部１０を天板支持具１８が支持して変形を防止するのと共に、第２の当接面１９が側板６の内側面に当接して、側板６が内側へ引き込まれる力を天板支持具１８が支持することとなるとともに、腕部１０と側板６との間の空隙を天板支持具１８で埋めることとなる。天板支持具１８を挟み込んでネジ締結を行うことで、締結部近傍の強度が増すと共に、ネジ２１の緩みを防止することとなり、堅牢な天板取付構成を実現できる。
【００５３】
また、図５のように、仕切り板１６の端面をＬ字型に変形させて天板支持具を形成した場合であっても、腕部１０と側板６の間に仕切り板１６の一部を挟みこむことで、同様の取付構成を実現できるので、同様の効果が得られる。
【００５４】
以上のように、防水性を確保するためにフランジ面８の幅を大きくしたとしても、天板支持具１８を介在することにより、堅牢な天板取付構成を実現することができ、防水性や強度に優れつつ、組立作業性やメンテナンス性に優れた加熱調理器とすることができる。
【００５５】
本実施の形態では、腕部１０と側板６の距離が離れてしまうことに対して、天板支持具１８を介在することとしたが、例えば、フランジ面８の一部を切り欠くことで腕部１０の取付位置を止水壁９より外側に配置して空隙を無くすことはできる。しかし、フランジ面８の一部を切り欠くことで、前述の防水性が失われてしまう。また、側板６に絞り加工を施すことで腕部１０と距離を近づけることは可能だが、外観上の品位や加工性から限度があり、フランジ面８の幅に関わらず腕部１０との距離を無くすことは困難である。
【００５６】
また、本実施の形態において、天板支持具１８は板金で構成されているが、その際板厚を腕部１０や側板６より増すことで変形する力を受ける天板支持具１８の強度が増すため、締付時の変形防止効果が高まり、より堅牢な天板取付構成を実現できる。
【００５７】
また、図６のように天板支持具１８の上端部を折り曲げて突っ張り面２２を構成することで、図７に示すように天板２取付時にアンダーフレーム３と当接させて押さえ込むことができる。これによって、基板ケース１４の歪みや、腕部１０の取り付け時のバラツキなどによる、天板支持具１８の貫通穴２０と側板６の穴および腕部１０のバーリング穴１１の高さ方向のズレが補正されるため、組立作業性・メンテナンス性に優れた加熱調理器を提供することができる。
【００５８】
（実施の形態２）
図８は、本発明の第２の実施の形態の加熱調理器の要部断面図である。
【００５９】
なお、本実施の形態２の基本構成は実施の形態１と同様であるので、同様な部分の説明は省略し、相違点を中心に説明する。また、実施の形態１と同一要素には同じ符号を付してその説明を省略する。
【００６０】
図８に示すように、本実施の形態ではアンダーフレーム３の端部に下向きに凸の樋３１を設けている。
【００６１】
樋３１は外側の端面を略鉛直に立ち上げ、その一部を天板２の端面と当接させて、天板組み立て時の位置決めとしている。
【００６２】
サイドフレーム５は樋３１の下面と天板２を挟み込んで取り付けられている。
【００６３】
以上のように構成された加熱調理器について、以下その動作、作用を説明する。
【００６４】
実施の形態１と同様に、天板の上で被加熱調理物である鍋から水を溢したり、清掃中に水を溢したりした場合を考える。
【００６５】
サイドフレームなどフレーム部品の変形や、接着の不備、接着剤４ｂの劣化による剥がれなどの不具合が発生した場合、天板の端面に至った水はサイドフレーム５と天板２の隙間を通り、サイドフレーム５の内側へ浸入する。
【００６６】
浸入した水は図８の矢印に示すようにサイドフレーム５の内側や天板２表面を伝い流れるが、天板２端面より滴下した水は、直下に配した樋３１で受けて誘導される。水は下方に流しても支障のないところへ導かれ、本体外郭の隙間より外郭の外へ排出される。
【００６７】
以上のように、本実施の形態では、樋３１によって浸入した水を支障のない箇所へ流すことができ、誘導コイルや電源回路などの充電部に水が付着することを阻止し、故障を防止することができる。
【００６８】
また、天板の下面側に下に凸の樋３１を設けることで、側板６に備えた止水壁９は防水性を確保するために樋３１より内側に配置しなくてはならず、フランジ面８の幅を樋３１の幅より大きくする必要がある。そのため、図８に示すように、実施の形態１と同様に天板支持具１８を介在することで、腕部１０および側板６の変形を防止して堅牢な天板取付構成を実現している。
【産業上の利用可能性】
【００６９】
本発明にかかる加熱調理器は、誘導加熱調理器に限られるものではなく、調理器具載置用の天板を備えた加熱調理器であれば適用できる。
【符号の説明】
【００７０】
１  本体
２  天板
３  アンダーフレーム
５  サイドフレーム
６  側板
８  フランジ面
９  止水壁
１０  腕部
１２  誘導加熱コイル（加熱装置）
１３  制御基板
１４  基板ケース
１６  仕切り板
１８  天板支持具
１９  第２の当接面
２２  突っ張り面
３１  樋
【図１】
0005598175.tif 000002
【図２】
0005598175.tif 000003
【図３】
0005598175.tif 000004
【図４】
0005598175.tif 000005
【図５】
0005598175.tif 000006
【図６】
0005598175.tif 000007
【図７】
0005598175.tif 000008
【図８】
0005598175.tif 000009
【図９】
0005598175.tif 000010